(57)【要約】【課題】物品に備えられた無線タグ回路素子の識別情報を無線タグ通信装置で取得したときに、その物品に関する管理項目のうち、管理情報を登録していない未登録管理項目に関する情報を表示画面に表示するための無線タグ通信装置を提供する。【解決手段】無線タグラベルに備えられた無線タグ回路素子に対し、無線通信を行うための装置アンテナ手段と、装置アンテナ手段を介し、無線タグ回路素子より識別情報の取得を図るタグ情報取得手段とを有する無線タグ通信装置であって、タグ情報取得手段が識別情報を取得した場合に、無線タグ回路素子の識別情報と、対象物品の管理項目に対する管理情報とを対応づけて記憶するデータベース中に、管理情報が登録されていない未登録管理項目があるか否かを判定する管理項目判定手段と、管理項目判定手段により未登録管理項目があると判定されたときは、未登録管理項目に関する情報の表示を行う未登録情報表示手段とを有する。【選択図】図９
2010152455.tif 000002
【特許請求の範囲】
【請求項１】
無線タグラベルに備えられ、情報を記憶可能なＩＣ回路部と、情報を送受信可能なタグアンテナとを備えた無線タグ回路素子に対し、無線通信を行うための装置アンテナ手段と、
前記装置アンテナ手段を介し、前記無線タグ回路素子より識別情報の取得を図るタグ情報取得手段とを有する無線タグ通信装置であって、
前記タグ情報取得手段が前記識別情報を取得した場合に、前記無線タグ回路素子の前記識別情報と、前記無線タグラベルを貼り付ける対象物品の管理項目に対する管理情報とを対応づけて記憶するデータベース中に、管理情報が登録されていない未登録管理項目があるか否かを判定する管理項目判定手段と、
前記管理項目判定手段により未登録管理項目があると判定されたときは、前記未登録管理項目に関する情報の表示を行う未登録情報表示手段と
を有することを特徴とする無線タグ通信装置。
【請求項２】
前記管理項目判定手段により未登録管理項目があると判定された場合に、前記未登録管理項目が管理情報を登録すべき所定の管理項目であるか否かを判定する未登録管理項目判定手段を有し、
前記未登録情報表示手段は、前記未登録管理項目判定手段により所定の管理項目であると判定された場合に、前記所定の未登録管理項目に関する情報の表示を行うことを特徴とする請求項１に記載の無線タグ通信装置。
【請求項３】
前記未登録管理項目判定手段は、前記管理項目に関連付けてあらかじめデータベースに記憶される関連情報に基づいて、前記タグ情報取得手段で取得した前記識別情報ごとに前記所定の管理項目であるか否かを判定することを特徴とする請求項２に記載の無線タグ通信装置。
【請求項４】
前記タグ情報取得手段が複数の識別情報を取得した場合に、
前記未登録情報表示手段は、前記タグ゛情報取得手段によって取得された複数の識別情報に対応する未登録管理項目に関する情報を一覧表示することを特徴とする請求項１ないし３のいずれかに記載の無線タグ通信装置。
【請求項５】
前記未登録管理項目に対する管理情報を入力可能な入力手段と、
前記入力手段により入力された前記管理情報を前記データベースに登録する管理情報登録手段とを有し、
前記未登録情報表示手段は、前記入力手段によって、前記未登録管理項目に対する前記管理情報を入力可能に表示することを特徴とする請求項１ないし４のいずれかに記載の無線タグ通信装置。
【請求項６】
前記未登録管理項目に対する管理情報を入力可能な入力手段と、
前記入力手段により入力された前記管理情報を前記データベースに登録するための登録情報を出力する管理情報出力手段とを有し、
前記未登録情報表示手段は、前記入力手段によって、前記未登録管理項目に対する前記管理情報を入力可能に表示することを特徴とする請求項１ないし４のいずれかに記載の無線タグ通信装置。
【請求項７】
前記無線タグラベルが貼り付けられた対象物品を撮像可能な撮像手段を備え、
前記入力手段は、前記撮像手段によって撮像された画像データを前記管理情報として入力することを特徴とする請求項５又は６に記載の無線タグ通信装置。
【発明の詳細な説明】
【技術分野】
【０００１】
本発明は、情報を記憶するＩＣ回路部と情報を送受信可能なタグアンテナとを備えた無線タグ回路素子に対し、無線通信を行う無線タグ通信装置に関する。
【背景技術】
【０００２】
従来から、所定の情報を記憶するＩＣ回路部とこのＩＣ回路部に接続されて情報の送受信を行うタグアンテナを備えた無線タグ回路素子を有する小型の無線タグと、リーダ（読み取り装置）／ライタ（書き込み装置）（以下、無線タグ通信装置とする。）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが知られている。
【０００３】
このＲＦＩＤシステムは様々な分野において実用化されており、販売・流通等の業種においては、物品の在庫を確かめるために定期的に行われる棚卸しや、紛失した物品の探索、部品のチェック、あるいは物品の入出庫管理等、多様な作業に用いられる。このような作業場面においては、一般に、無線タグ回路素子を管理対象物品に設置しておき、その無線タグ回路素子に対し、操作者が携帯型の無線タグ通信装置により情報読み取りを行うことなどにより、物品の管理等を行う。
【０００４】
例えば、特許文献１に記載の物品管理システムでは、限られた区域に複数の所有者の物品が混在する場合に、その物品に取り付けられた無線タグの位置情報を取得し、前記無線タグの識別情報と位置情報を関連付けてデータベースへ登録される。
【特許文献１】特開２００５−１５７５０８号公報
【発明の開示】
【発明が解決しようとする課題】
【０００５】
しかしながら、通常、このような物品管理において、１つの物品に対する管理項目は多岐にわたり、そのような複数の管理項目に対する管理情報をデータベースに一度に登録する作業は非常に工数を要し煩雑な作業である。また、ある物品に対して管理状況によって必要項目となった項目に対し記載漏れがあり、情報不足となるなどの場合がある。さらに、管理項目が追加されるような場合などは、それに応じて管理情報を更新して登録する必要があり、物品に応じて管理情報の登録の有無を検索、調査しながら登録する作業は、さらに複雑で多大な労力を要する作業となる。
【０００６】
本発明は、上記問題点を解決するためになされたものであり、例えば、物品を管理する場合において、棚卸作業などで物品に備えられた無線タグ回路素子の識別情報を無線タグ通信装置で取得したときに、その物品に関する管理項目のうち、管理情報を登録していない未登録管理項目に関する情報を表示することができる無線タグ通信装置を提供することを目的とする。
【課題を解決するための手段】
【０００７】
上記目的を達成するために、第１発明の無線タグ通信装置は、無線タグラベルに備えられ、情報を記憶可能なＩＣ回路部と、情報を送受信可能なタグアンテナとを備えた無線タグ回路素子に対し、無線通信を行うための装置アンテナ手段と、前記装置アンテナ手段を介し、前記無線タグ回路素子より識別情報の取得を図るタグ情報取得手段とを有する無線タグ通信装置であって、前記タグ情報取得手段が前記識別情報を取得した場合に、前記無線タグ回路素子の前記識別情報と、前記無線タグラベルを貼り付ける対象物品の管理項目に対する管理情報とを対応づけて記憶するデータベース中に、管理情報が登録されていない未登録管理項目があるか否かを判定する管理項目判定手段と、前記管理項目判定手段により未登録管理項目があると判定されたときは、前記未登録管理項目に関する情報の表示を行う未登録情報表示手段とを有することを特徴とする。
【０００８】
第２発明の無線タグ通信装置は、上記第１発明において、前記管理項目判定手段により未登録管理項目があると判定された場合に、前記未登録管理項目が管理情報を登録すべき所定の管理項目であるか否かを判定する未登録管理項目判定手段を有し、前記未登録情報表示手段は、前記未登録管理項目判定手段により所定の管理項目であると判定された場合に、前記所定の未登録管理項目に関する情報の表示を行うことを特徴とする。
【０００９】
第３発明の無線タグ通信装置は、上記第２発明において、前記未登録管理項目判定手段は、前記管理項目に関連付けてあらかじめデータベースに記憶される関連情報に基づいて、前記タグ情報取得手段で取得した前記識別情報ごとに前記所定の管理項目であるか否かを判定することを特徴とする。
【００１０】
第４発明の無線タグ通信装置は、上記第１ないし第３発明において、前記タグ情報取得手段が複数の識別情報を取得した場合に、前記未登録情報表示手段は、前記タグ゛情報取得手段によって取得された複数の識別情報に対応する未登録管理項目に関する情報を一覧表示することを特徴とする。
【００１１】
第５発明の無線タグ通信装置は、上記第１ないし第４発明において、前記未登録管理項目に対する管理情報を入力可能な入力手段と、前記入力手段により入力された前記管理情報を前記データベースに登録する管理情報登録手段とを有し、前記未登録情報表示手段は、前記入力手段によって、前記未登録管理項目に対する前記管理情報を入力可能に表示することを特徴とする。
【００１２】
第６発明の無線タグ通信装置は、上記第１ないし第４発明において、前記未登録管理項目に対する管理情報を入力可能な入力手段と、前記入力手段により入力された前記管理情報を前記データベースに登録するための登録情報を出力する管理情報出力手段とを有し、前記未登録情報表示手段は、前記入力手段によって、前記未登録管理項目に対する前記管理情報を入力可能に表示することを特徴とする。
【００１３】
第７発明の無線タグ通信装置は、上記第５又は第６発明において、前記無線タグラベルが貼り付けられた対象物品を撮像可能な撮像手段を備え、前記入力手段は、前記撮像手段によって撮像された画像データを前記管理情報として入力することを特徴とする。
【発明の効果】
【００１４】
請求項１に係る発明の無線タグ通信装置によれば、無線タグラベルを貼り付ける対象物品に備えられる無線タグ回路素子の識別情報を取得した際に、前記対象物品に対する管理項目のうち、管理情報を登録していない未登録管理項目がある場合には、その未登録管理項目に関する情報が表示される。そのため、前記対象物品に対して、管理情報が登録されていない未登録管理項目があることを把握することができる。また、管理状況に応じて管理項目の追加があった場合に、どの管理項目が未登録であるか、データベースを検索して調査し直す作業などを行うことなく、未登録管理項目を確実に把握することができる。
【００１５】
請求項２に係る発明の無線タグ通信装置によれば、請求項１に記載の発明の効果に加え、無線タグ回路素子の識別情報に関連付けられてデータベースに登録される物品に対する管理項目のうち、管理情報を登録すべき所定の管理項目が未登録であることを効率よく把握することができる。
【００１６】
請求項３に係る発明の無線タグ通信装置によれば、請求項２に記載の発明の効果に加え、関連情報に基づいて所定の管理項目であるか否かが判断されるので、物品ごとに管理すべき管理項目が異なる場合や、物品ごとに登録情報を登録すべき管理項目が追加更新されたりするような場合などに、どの物品に対してどの管理項目に対する管理情報が登録されていないのかなどを検索したり、調査する作業をなど別途行う必要なく、無線タグ通信装置で識別情報を読取ったときに、所定の管理項目の管理情報が登録されていないことを簡単に把握することができる。
【００１７】
請求項４に係る発明の無線タグ通信装置によれば、請求項１ないし３に記載の発明の効果に加え、複数の物品に対する無線タグ回路素子の各識別情報を取得した場合に、未登録管理項目が一覧表示されるので、複数の物品に対する未登録管理項目をまとめて容易に把握することができる。
【００１８】
請求項５に係る発明の無線タグ通信装置によれば、請求項１ないし４のいずれかに記載の発明の効果に加え、未登録管理項目を把握したときに、その都度、その未登録管理項目に対する管理情報をデータベースに容易に登録することができる。
【００１９】
請求項６に係る発明の無線タグ通信装置によれば、請求項１ないし４のいずれかに記載の発明の効果に加え、未登録管理項目を把握したときに、その都度、その未登録管理項目に対する管理情報をデータベースに容易に送信出力することができる。
【００２０】
請求項７に係る発明の無線タグ通信装置によれば、無線タグ通信装置で識別情報を取得したときに、その物品の外観、配置などの管理状態を無線タグ通信装置に備えられた撮像手段で撮像して、その画像データをデータベースに容易に登録することができる。また、必要に応じて、データベースにアクセスして、その物品に関する画像情報をいつでも確認することができる。
【発明を実施するための最良の形態】
【００２１】
以下、本発明の一実施の形態を図面を参照しつつ説明する。図１は、本実施形態の無線タグ通信装置１００の全体的な外観を表す外観図である。
【００２２】
この図１において、無線タグ通信装置１００は、略直方体形状の筐体１０１と、この筐体１０１に対し開閉可能に設けられた図示しない開閉カバーとを有している。
【００２３】
上記筐体１０１の上部には、後述する無線タグ回路素子Ｔｏと情報送受信を行うための通信アンテナ１１０（装置アンテナ手段）、物品を撮像可能なカメラ２００（撮像手段）が設けられている。また、筐体１０１には、液晶パネル等のディスプレイから構成される各種表示を行う表示部１１１（未登録情報表示手段）が備えられる。さらに、上記表示部１１１の下方には、複数の操作ボタン及び操作キーからなる操作入力部１２０が設けられている。前記操作入力部１２０として、例えば、無線タグ回路素子Ｔｏと無線通信を開始するための開始キー、無線通信を停止するための停止キー、数字キー等が含まれる。また、無線タグ通信装置１００の電源のＯＮ／ＯＦＦを行う電源ボタン１２１と、略十字形状に配置されている４つの方向キー及びそれらの中央に配置されている決定キーから構成される操作入力キー１２２を有している。なお、操作入力部１２０や操作入力キー１２２などの変わりに、表示部１１１に表示されるタッチパネルによって操作情報を入力するようにしてもよい。
【００２４】
図２は、無線タグ通信装置１００の機能構成を表す機能ブロック図である。無線タグ通信装置１００は、上記表示部１１１、高周波回路１１２、時計部１８０等を含む無線タグ通信装置１００全体の制御を行う制御回路（ＣＰＵ）１１５と、この制御回路１１５に接続されたＲＡＭ１３０と、ＲＯＭ１９５と、外部接続回路１４０と、発音装置１６０と、振動装置１７０を有する。また、前記無線タグ通信装置１００は、上記通信アンテナ１１０と、上記表示部１１１と、上記通信アンテナ１１０を介し無線タグＴの無線タグ回路素子Ｔｏへ無線通信によりアクセスすると共に、前記無線タグ回路素子Ｔｏから読み出された信号を処理する高周波回路１１２と、画像情報を取得するためのカメラ２００（撮像手段）と、各種入力キー（操作入力部１２０、電源ボタン１２１、操作入力キー１２２など）を有する。なお、本実施形態では後述のデータベース１３１は、前記ＲＡＭ１３０に記憶される。
【００２５】
図３は、上記データベース１３１の記憶内容の一例を表す図である。図３において、データベース１３１には、管理する物品に備えられた無線タグ回路素子の識別情報（タグＩＤ）に関連付けられて、各種管理項目に対する管理情報が登録されている。前記管理項目として、対象物品の物品名、管理者、管理場所、購入日時、使用者などの項目が挙げられる。例えば、図３では、ＩＤ（識別情報）「＊＊＊＊＊１」については、管理項目が「物品名」に対する管理情報として「ｎａｍｅ＿１」、管理項目「管理者」に対する管理情報として「ａｄｍｉｎ＿１」などと記憶されている。
【００２６】
一方、前記管理項目とそれに対する管理情報は最初から全て登録しておく必要は無く、ある物品の管理を開始する際に、最低限必要となる管理情報を入力しておけばよい。図３のように、ＩＤ（識別情報）「＊＊＊＊＊ｘ」については、管理項目が「物品名」に対する管理情報として「ｎａｍｅ＿ｘ」と登録されているが、管理項目が「管理者」、「管理部門」、「使用者」に対する管理情報は存在しない未登録欄１３３となっている。なお、前記管理項目は運用状況により変更可能であり、適宜必要に応じて管理項目の追加欄１３２が作成されたり、更新、削除等される。
【００２７】
図４は、上記高周波回路１１２の詳細構成を表す機能ブロック図である。この図４において、高周波回路１１２は、上記通信アンテナ１１０を介し後述の無線タグ回路素子ＴｏのＩＣ回路部１５０の情報へアクセスするものである。また、無線タグ通信装置１００の制御回路１１５は無線タグ回路素子ＴｏのＩＣ回路部１５０から読み出された信号を処理して情報を読み出すと共に無線タグ回路素子ＴｏのＩＣ回路部１５０へアクセスするための各種コマンドを生成するものである。
【００２８】
高周波回路１１２は、通信アンテナ１１０を介し無線タグ回路素子Ｔｏに対して信号を送信する送信部１４２と、通信アンテナ１１０により受信された無線タグ回路素子Ｔｏからの応答波を入力する受信部１４３と、送受分離器１４４とから構成される。
【００２９】
送信部１４２は、無線タグ回路素子ＴｏのＩＣ回路部１５０の無線タグ情報にアクセスするための質問波を生成するブロックである。すなわち、送信部１４２は、周波数の基準信号を出力する水晶振動子１４５Ａと、制御回路１１５の制御により水晶振動子１４５Ａの出力を分周／遁倍して所定周波数の搬送波を発生させるＰＬＬ（Ｐｈａｓｅ  Ｌｏｃｋｅｄ  Ｌｏｏｐ）１４５Ｂ、及びＶＣＯ（Ｖｏｌｔａｇｅ  Ｃｏｎｔｒｏｌｌｅｄ  Ｏｓｃｉｌｌａｔｏｒ）１４５Ｃと、上記制御回路１１５から供給される信号に基づいて上記発生させられた搬送波を変調（この例では制御回路１１５からの「ＴＸ＿ＡＳＫ」信号に基づく振幅変調）する送信乗算回路１４６（振幅変調の場合は増幅率可変アンプ等を用いてもよい）と、その送信乗算回路１４６により変調された変調波を増幅（この例では制御回路１１５からの「ＴＸ＿ＰＷＲ」信号によって増幅率を決定される増幅）して所望の質問波を生成するゲイン制御送信アンプ１４７とを備えている。
【００３０】
そして、上記発生される搬送波は、例えばＵＨＦ帯（又はマイクロ波帯、あるいは短波帯でもよい）の周波数を用いており、上記ゲイン制御送信アンプ１４７の出力は、送受分離器１４４を介し通信アンテナ１１０に伝達されて無線タグ回路素子ＴｏのＩＣ回路部１５０に供給される。なお、質問波は上記のように変調した信号（変調波）に限られず、単なる搬送波のみの場合もある。
【００３１】
受信部１４３は、通信アンテナ１１０で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記通信アンテナ１１０で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記制御回路１１５に入力されて処理される。
【００３２】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ）回路１７８にも入力され、それらの信号の強度を示す信号「ＲＳＳＩ」が制御回路１１５に入力される。これにより、無線タグ通信装置１００では、無線タグ回路素子Ｔｏとの通信時における当該無線タグ回路素子Ｔｏからの信号の受信強度を検出することが可能となっている。
【００３３】
図５は、対象物品に貼り付けられる無線タグ回路素子Ｔｏを備える無線タグラベルＴの外観図である。無線タグ回路素子Ｔｏは、ラベル状の無線タグラベルＴに備えられており、当該無線タグラベルＴが、対象物品に設けられることにより、無線タグ回路素子１５０の識別情報が物品に関連付けられる。なお、前記無線タグ回路素子ＴｏのＩＣ回路部Ｔｏには、前記対象物品を識別するためのタグＩＤ（識別情報）が記憶されている。
【００３４】
上記無線タグ回路素子Ｔｏに記憶されたタグＩＤは、それぞれの物品を管理するための管理項目、管理情報と関連付けられてデータベース１３１に記録されており、無線タグ通信装置１００は、無線通信を介して上記無線タグ回路素子Ｔｏより読み出したタグＩＤに基づき、データベース１３１にアクセスすることが可能になっている。
【００３５】
図６は、上記無線タグラベルＴに備えられた無線タグ回路素子Ｔｏの機能的構成の一例を表す機能ブロック図である。この図６において、無線タグ回路素子Ｔｏは、上述したように無線タグ通信装置１００の通信アンテナ１１０と非接触で信号の送受信を行う上記タグアンテナ１５１と、このタグアンテナ１５１に接続された上記ＩＣ回路部１５０とを有している。
【００３６】
ＩＣ回路部１５０は、タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介し上記無線タグ回路素子Ｔｏの作動を制御するための上記制御部１５７とを備えている。
【００３７】
変復調部１５６は、タグアンテナ１５１により受信された上記無線タグ通信装置１００の通信アンテナ１１０からの質問波の復調を行い、また、上記制御部１５７からの返信信号を変調し、タグアンテナ１５１より応答波（タグＩＤを含む信号）として送信する。
【００３８】
クロック抽出部１５４は受信した信号からクロック成分を抽出し、当該クロック成分の周波数に対応したクロックを制御部１５７に供給する。
【００３９】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００４０】
次に、無線タグ通信装置１００の動作について、図７ないし図１０を参照して説明する。図７及び図８は、無線タグ通信装置１００の制御回路１１５によって実行される制御手順を表すフローチャートである。また、図９及び図１０は、後述のように、図３のデータベースに基づいて、本実施形態で表示部１１１に表示される表示画面の一例を示す。
【００４１】
まず、制御回路１１５は、操作者によりタグ読み取り開始のための開始操作がなされたら、図７のフローチャートを開始する。
【００４２】
ステップＳ１１０では、制御回路１１５は、高周波回路１１２に制御信号を出力する。前記高周波回路１１２は、無線タグ回路素子Ｔｏのメモリ部１５５に記録されたデータを読み出すタグ読み取り信号としての所定の変調を行った質問波（ＩＤ取得コマンド）を、通信アンテナ１１０を介して通信範囲内に存在する全てのタグに対して送信し、ステップＳ１２０に移る。
【００４３】
ステップＳ１２０では、制御回路１１５は、上記タグ読み取り信号に対するタグからのリプライ信号を上記通信アンテナ１１０及び高周波回路１１２を介して、受信したか否かを判定する。リプライ信号を受信したと判断された場合には、判定が満たされてステップＳ１６０に移る。一方、リプライ信号が受信されない場合には、判定が満たされずに図８のステップＳ２６０に移り、操作者により処理終了操作がなされたか否かを、上記停止キーからの操作入力信号に基づき判定する。
【００４４】
ステップＳ１６０では、制御回路１１５は、ＲＡＭ１３０に保存されるデータベース１３１にアクセスして、取得した前記タグＩＤとデータベース１３１に登録されているタグＩＤの照会を行い、ステップＳ１６５に移る。
【００４５】
ステップＳ１６５では、前記ステップＳ１６０での照合の結果、データベース１３１に登録されていないタグＩＤであった場合に、そのタグＩＤを破棄して、ステップＳ１６６に移る。
【００４６】
次に、ステップＳ１６６では、データベース１３１にタグＩＤが登録されたタグの応答があったか否かが判定され、データベース１３１にタグＩＤが登録されたタグの応答があったと判定されれば、図８のステップＳ１７０の処理へ進む。一方、データベース１３１にタグＩＤが登録されたタグの応答がないと判定された場合には、ステップＳ２６０に進み、以降の処理が行われる。
【００４７】
続いて、図８のフローチャートのステップＳ１７０では、上記ステップＳ１６０で照会したタグＩＤについて、前記タグＩＤに関連付けられた各管理項目に対して、対応する管理情報が登録されているか否かを判定する。前記管理項目に対して、全て管理情報が登録されている場合には、図７のステップＳ１１０の処理に戻る。一方、前記管理項目のうち、管理情報が登録されていない項目である未登録管理項目がある場合には図８のステップＳ１８０へ移る。例えば、実施例において、タグＩＤ「＊＊＊＊＊１」の場合は、図３のデータベース１３１のように、各管理項目に対する全ての管理情報が登録されているので、図７のステップＳ１１０の処理へ移る。それに対して、図３のデータベース１３１におけるタグＩＤ「＊＊＊＊＊ｘ」の場合は、管理項目のうち、「管理者」、「管理部門」、「使用者」の管理情報が登録されていないので、ステップＳ１８０の処理へ移ることになる。
【００４８】
ステップＳ１８０では、制御回路１１５は、表示部１１１に制御信号を出力して、上記ステップＳ１７０での判定結果として、前記タグＩＤに対する未登録項目に関する情報を表示させる。実施例では、図３のデータベース１３１において、タグＩＤ「＊＊＊＊＊ｘ」に関連付けられた物品名「ｎａｍｅ＿ｘ」の管理項目に登録されていない未登録管理項目が存在する。この場合、図９の表示画面Ｄ１のように、「以下の物品には未入力の項目があります」と操作者に注意を喚起する文字情報が表示され、その下部に前記タグＩＤに関連付けられた物品名「ｎａｍｅ＿ｘ」と、未入力項目（未登録管理項目）名として、「管理者、管理部門・・・」等が表示される。なお、未登録管理項目を具体的に表示させることなく、「未登録管理項目があります」という未登録管理項目の有無に関する情報だけを表示させてもよい。
【００４９】
次に、図８のフローチャートのステップＳ１９０では、制御回路１１５は、操作入力キー１２２などにより、表示部１１１に表示された表示画面Ｄ１に対して、「戻る」を選択、決定する操作信号が入力されたかどうか判断する。「戻る」が選択されたと判断された場合には、判断結果の表示画面Ｄ１を閉じて、ステップＳ１１０の処理に戻る。一方、「戻る」を決定する操作入力がされない場合は、ステップＳ２００の処理に移る。
【００５０】
ステップＳ２００では、判断結果が表示された表示画面の中から、未登録管理項目の存在する物品名が選択されたか否かが判断される。特定の物品名が選択された場合には、次のステップＳ２１０へ移る。実施例では図９の表示画面Ｄ１のように、操作入力キー１２２によって選択された物品名「ｎａｍｅ＿ｘ」の欄は、他の箇所と色を変更するなど異なる態様で表示される。一方、物品名を選択する操作信号が入力されない場合はステップＳ１８０に戻り、ステップＳ１９０で、戻るが選択されるまで判断結果の表示を行う。
【００５１】
次に、ステップＳ２１０では、ステップＳ２００で選択された物品名に対して、未登録の管理項目に対する管理情報の入力が行えるように、管理情報を入力するための画面表示を行い、続くステップＳ２２０で操作入力が行われるまで待機して、次のステップＳ２３０へ移行する。図１０は、上記ステップＳ２００で選択された物品名「ｎａｍｅ＿ｘ」の未入力項目に対する管理情報を入力するための入力画面Ｄ２であり、未入力項目「管理者」に対して、入力情報の値候補としてあらかじめ想定して登録された候補が「△△△」、「□□□」などと表示される。
【００５２】
操作者は、操作入力キー１２２によって、これらの値候補の中から、管理者として入力したい値を選択する。一方、表示された値候補の中に、入力したい情報が無い場合には、操作入力部１２０や操作入力キー１２２によって、操作者がマニュアルで管理情報を登録するための、情報入力画面へ移行して管理情報の入力が行われる。図１０においては、未入力項目「管理部門」に対して、上記「△△△」、「□□□」のような具体的な候補と異なる態様で表示された欄（図１０中では、「管理者」に対する候補「□□□」のすぐ下の欄）を選択すると、情報入力画面へ移行するように設定されている。
【００５３】
次に、図８のステップＳ２３０は、前記入力画面Ｄ２において、操作入力キー１２２等によって、「戻る」を選択、決定する操作信号が入力されたかどうか判断する。「戻る」が選択されたと判断された場合には、前記入力画面Ｄ２を閉じて、ステップＳ１８０へ戻り、判断結果の表示画面Ｄ１を表示させる（図９参照）。一方、「戻る」が選択されない場合は、ステップＳ２４０へ移る。
【００５４】
ステップＳ２４０では、図１０の入力画面Ｄ２で操作入力部１２０や操作入力キー１２２等によって、管理情報を値候補の中から選択あるいは管理情報をマニュアル入力し、「決定」を選択する操作信号が入力されたかどうか判断する。「決定」が選択されない場合には、ステップＳ２１０に戻って以降の処理を行う。一方、「決定」が選択されたと判断された場合には、ステップＳ２５０に移る。ステップＳ２５０では、上記のように入力画面Ｄ２で選択された候補値やマニュアル入力された値をタグＩＤに関連付けられた管理項目に対応付けて、データベース１３１に登録して、ステップＳ２５５に移る。
【００５５】
ステップＳ２５５では、続けて他の物品の管理項目を編集するか否かが判断される。他の物品の管理項目を編集することを決定するための「決定」が選択されたと判断された場合には、ステップＳ１８０の処理へ戻る。一方、特に他の物品の管理項目を編集することが決定されなかった場合には、ステップＳ２６０の処理へ移る。
【００５６】
次に、ステップＳ２６０では、操作入力キー１２２などにより、タグＩＤの読み取りを続けるために「戻る」を選択、決定する操作信号が入力されたかどうか判断する。「戻る」が選択されたと判断された場合には、ステップＳ１１０の処理に戻り、ＩＤ取得を続ける。一方、「戻る」に対応する操作入力が行われず、操作入力部１２０のうちの終了キーが押されて終了操作がなされたと判断された場合は、このフローの処理を終了する。
【００５７】
以上において、タグ通信装置１００の通信アンテナ１１０が、無線タグラベルＴに備えられ、情報を記憶可能なＩＣ回路部１５０と、情報を送受信可能なタグアンテナ１５１とを備えた無線タグ回路素子Ｔｏに対し、無線通信を行うための装置アンテナ手段である。また、制御回路１１５が行うステップＳ１１０において、前記装置アンテナ手段１１０を介し、前記無線タグ回路素子Ｔｏより識別情報の取得を図る処理がタグ情報取得手段に相当する。そして、制御回路１１５が行うステップＳ１７０の処理で、前記タグ情報取得手段が前記識別情報を取得した場合に、前記無線タグ回路素子Ｔｏの前記識別情報と、前記無線タグラベルＴを貼り付ける対象物品の管理項目に対する管理情報とを対応づけて記憶するデータベース１３１中に、管理情報が登録されていない未登録管理項目があるか否かを判定する処理が、管理項目判定手段を構成する。さらに、前記管理項目判定手段により未登録管理項目があると判定されたときは、前記未登録管理項目に関する情報の表示を行う表示部１１１が未登録情報表示手段を構成する。また、前記未登録管理項目に対する管理情報を入力可能な操作入力部１２０及び操作入力キー１２２などが入力手段である。また、制御回路１１５が行うステップＳ２５０において、前記入力手段により入力された前記管理情報である前記候補値やマニュアル入力された値を、タグＩＤに関連付けられた管理項目に対応付けて、データベース１３１に登録する処理が管理情報登録手段を構成する。
【００５８】
以上説明したように、本実施形態の無線タグ通信装置にあっては、無線タグＩＤを取得したときに、データベースの照合を行って、前記無線タグＩＤに関連付けられた管理項目に未登録の項目がある場合には、未登録管理項目に関する表示を表示部に行うので、操作者は管理情報を入力するためにデータベースを検索しなくても、未登録管理項目が存在することを確実かつ容易に把握することができる。特に、運用状況に応じて管理項目の追加などの変更があった場合などにも、無線タグ通信装置でタグＩＤを取得したときに、未登録の管理項目が存在することを確実に把握することができる。また、その際に、未登録管理項目がある物品名を選択するなどして、管理情報を入力可能に表示される場合には、その場で管理情報の入力を行うことができるため、作業性が向上する。さらに、管理項目に対する管理情報の入力漏れの確率をより低減することができる。
【００５９】
なお、上記実施形態は、上記以外にも、その趣旨と技術思想の範囲を逸脱しない範囲でさらに種々の変形が可能である。例えば、取得したタグＩＤに関連付けられた管理項目のうち、情報が入力されていない未登録管理項目があるかどうかの表示を表示部に行うだけでもよい。例えば、図９の表示画面Ｄ１だけを行い、図１０の入力画面Ｄ２は表示しないような場合である。この場合、図８のフローチャートのステップＳ１９０において、「戻る」が選択された操作信号が入力されない場合は、ステップＳ２６０へ移り、操作入力部１２０のうちの終了キーが操作されるまで待機し、終了キーが操作されたらこのフローを終了する。一方、「戻る」が選択されたと判断された場合には、図７のステップＳ１１０の処理へ戻る。これにより、操作者は取得したタグＩＤに関連付けられた物品に対する管理項目のうち、情報を入力していない項目があるか別途調査などを行うことなく、棚卸などの運用の際に未登録の管理項目があることを容易に把握することができる。そして、所望に応じてデータベース１３１にアクセスして、管理情報の入力を行うことができる。
【００６０】
（２）複数のタグＩＤに対する未登録管理項目を一覧表示する場合
図１１及び図８は、この変形例における無線タグ通信装置１００の制御回路１１５が実行する制御手順を表すフローチャートであり、図１１は前述の図７に対応する図である。図７および図８と同等の手順には同一の符号を表し、説明を省略する。また、図１３は、図１２のデータベースに基づいて、本実施形態で表示部１１１に表示される一覧表示画面Ｄ３の一例を示す。
【００６１】
図１１において、本変形例では、ステップＳ１１０の後に、ステップＳ１１５が設けられる。ステップＳ１１５では、ＩＤ取得コマンドが１回完了したかどうかが判断され、完了していなければ、ステップＳ１１５の判断が繰り返され、完了していれば、ステップＳ１２０以降の処理へ進む。
【００６２】
また、図８において、ステップＳ１７０では、本変形例では特に、制御回路１１５は、複数のタグＩＤ毎に、前記タグＩＤに関連付けられた各管理項目に対して、対応する管理情報が登録されているか否かを判定する。複数のタグＩＤに関連付けられた前記管理項目に対して、全て管理情報が登録されている場合には、図１１のステップＳ１１０の処理に戻る。一方、前記複数のタグＩＤのうち、管理情報が登録されていない項目である未登録管理項目がある場合にはステップＳ１８０へ移る。
【００６３】
ステップＳ１８０では、制御回路１１５は、表示部１１１に制御信号を出力して、上記ステップＳ１７０での判定結果として、前記タグＩＤに対する未登録項目に関する情報を一覧表示させる。続いて、ステップＳ１９０以降の処理が行われる。一覧表示に関して、本変形例では、図１２のデータベースに基づいて、タグＩＤに関連付けられた物品名に対する管理情報に、未登録の項目が存在する場合に、図１３のように、結果表示画面Ｄ３が表示され、複数の物品名「ｎａｍｅ＿ｗ」、「ｎａｍｅ＿ｘ」、「ｎａｍｅ＿ｙ」に対する未登録の管理項目が一覧で表示される。なお、この表示画面は一画面で表示させる必要は無く、対象となる物品が多数ある場合などは、画面をスクロールさせたり、次ページへ遷移可能に表示されてもよい。
【００６４】
以上により、本変形例では、複数のタグＩＤに関連付けられた物品名と、対応する未登録管理項目に関する情報が表示されるので、複数の物品に対する未登録管理項目を一度に把握することができ、利便性が向上する。
【００６５】
（３）所定の管理項目を設定する場合
図７及び図１４は、この変形例における無線タグ通信装置１００の制御回路１１５が実行する制御手順を表すフローチャートであり、図１４は、前述の図８に対応する図である。上述した図７および図８と同等の手順には同一の符号を表し、説明を省略する。
【００６６】
図１４において、本変形例では、前述のステップＳ１７０の後に、ステップＳ１７５が追加される。ステップＳ１７５では、上記ステップＳ１７０で前記タグＩＤに関連付けられた各管理項目に対して、管理情報が登録されていない項目である未登録管理項目がある場合において、その未登録管理項目が所定の未登録管理項目であるか否かが判断される。ここでの所定の管理項目とは、データベースに管理情報を登録すべき未登録管理項目であり、あらかじめデータベース１３１に所定の管理項目としてフラグが設定される。ステップＳ１７５で所定の未登録管理項目であると判断された場合は、ステップＳ１８０以降の処理へ続く。一方、所定の未登録管理項目でないと判断された場合には、ステップＳ１１０の処理へ戻ってタグＩＤ取得を行う。
【００６７】
以上において、無線タグ通信装置１００の制御回路１１５が行う図１４のステップＳ１７５で、前記タグＩＤに関連付けられた各管理項目に対して、前記前記管理項目判定手段により未登録管理項目があると判定された場合に、前記未登録管理項目が管理情報を登録すべき所定の管理項目であるか否かを判定する処理が未登録管理項目判定手段を構成する。このように管理情報を登録すべき所定の未登録管理項目を表示することで、登録の必要がある管理項目が未登録になっていることを効率よく把握することができる。管理項目が多岐にわたり設定されているものの、実際には管理情報を登録する必要がなく補助的に管理項目が含まれているような場合には、特に有用である。なお、上記変形例では、ステップＳ１７５において、所定の管理項目としてデータベース１３１にフラグを設定して、それに基づいて判断を行ったが、この方法に限られず、アプリケーション毎に各管理項目に対して、表示部への表示、非表示判断を行うようにしてもよい。
【００６８】
（４）所定の管理項目を関連情報に基づいて判断する場合
この変形例においては、上記（３）と同様に図７及び図１４のフローチャートを用いて説明する。図１４は、前述の通り、図８に対応する図であり、上述の図７及び図８と同等の手順には同一の符号を表し、その説明を省略する。
【００６９】
図１４において、ステップＳ１７５では、上記ステップＳ１７０で前記タグＩＤに関連付けられた各管理項目に対して、管理情報が登録されていない項目である未登録管理項目がある場合において、その未登録管理項目が所定の未登録管理項目であるか否かが判断されるが、特に、本変形例では管理項目に関連付けてあらかじめデータベースに記憶される関連情報に基づいて、所定の未登録管理項目であるか否かが判断される。
【００７０】
例えば、本変形例では、関連情報として、データベース１３１にあらかじめ管理項目を登録したときの図示しない日時情報が記憶されてもよい。この場合、ステップＳ１７５では、未登録管理項目について、その管理項目をデータベース１３１に登録したときの日時情報と、無線タグ通信装置１００が備える図２の時計部１８０から現在の日時情報を取得して比較を行う。管理項目をデータベース１３１へ登録した日時から、現在までの時間が所定時間経過しているか否か等の、判断基準となる所定の条件をあらかじめ設定しておく。そして、管理項目をデータベース１３１へ登録した日時から、現在までの時間が所定時間未満であれば、所定の未登録管理項目であると判断を行って、ステップＳ１８０の処理へ続く。一方、管理項目をデータベース１３１へ登録した日時から、現在までの時間が所定時間以上であれば、所定の未登録管理項目でないと判断を行って、図７のステップＳ１１０の処理へ戻る。
【００７１】
このように、取得したタグＩＤに関連付けられた管理項目のうち、未登録管理項目が存在していても、前記管理項目が設定されてからタグＩＤを取得したときまで、かなりの日数が経過している場合には、その管理項目に対応する管理情報を入力する必要が無い可能性が高い。そのような場合には、その未登録管理項目は、かえって表示部に表示させないほうが、運用上都合がよいことが多い。
【００７２】
また、関連情報として、あらかじめデータベースに記憶する情報としては、上記の例に限られず、物品ごとに管理すべき所定の管理項目か否かを判断するために、物品名の所定のキーワードと、それに対する管理すべき管理項目を関連情報として設定しておいてもよい。取得したタグＩＤ毎に、関連付けられてデータベース１３１へ登録された物品名を参照して、所定のキーワードを有していたら、所定の管理項目が未登録管理項目であるか否かが判断される。その他にも、関連情報として、物品ごとに管理すべき管理項目の優先度を設定しておき、優先度の高い順に所定の管理項目を抽出して、前記所定の管理項目が未登録管理項目であるか否かが判断されてもよい。なお、上記（３）及び（４）の変形例では、タグＩＤを１つ取得するごとに（ＩＤ取得コマンドの途中であっても）、所定の管理項目が未登録管理項目であるか否かを判断しているが、上記（２）の変形例のように、ＩＤ取得コマンドが1回完了してから、取得された複数または単数のタグＩＤに対して一度に所定の管理項目に未登録管理項目があるか否かを判断してもよい。
【００７３】
以上によれば、登録情報を登録すべき管理項目が運用により変化するような場合や、物品ごとに管理すべき管理項目が異なる場合などに、状況に応じて所定の管理項目を容易に設定可能であり、物品ごとに前記所定の管理項目に対する未登録管理項目を運用状況に応じて確実に把握することができる。
【００７４】
（５）画像データを管理情報として登録する場合
図７、図１５及び図１６は、この変形例における無線タグ通信装置１００の制御回路１１５が実行する制御手順を表すフローチャートであり、図１５は前述の図８に対応しており、ステップＳ２２０の後に続いて、図１６のように新たにステップＳ２１２〜ステップＳ２１５の処理が設けられる。その他の処理は、図７及び図８と同等の手順であるので、説明を省略する。
【００７５】
図１６において、本変形例では、図１５のステップＳ２２０で操作入力が行われるまで待機して、ステップＳ２１２へ移行する。
【００７６】
ステップＳ２１２では、未登録管理項目に登録する入力情報（管理情報）として、現物の画像情報が選択されたか否かが判断される。図示はしないが、例えば、画像選択タブが画面表示されて、操作入力部１２０や操作入力キー１２２により選択決定された操作信号が入力された場合には、入力情報として画像情報が選択されたと判断されてステップＳ２１３の処理へ移る。一方、画像情報が選択されなかった場合には、図１５のステップＳ２３０へ移る。
【００７７】
次に、ステップＳ２１３では、無線タグ通信装置１００に備えられたカメラ２００により撮像された画像情報を取得して、ステップＳ２１４へ移る。
【００７８】
ステップＳ２１４では、取得した画像情報を管理項目に対する入力情報として、入力するか否かが判断される。図示はしないが、例えば表示部１１１には、カメラ２００で撮像した画像情報と登録決定タブが表示画像として表示される。そして、操作入力部１２０や操作入力キー１２２により登録が決定された操作信号が入力された場合には、取得した前記画像情報を入力情報として登録することが決定されたと判断されてステップＳ２１５の処理へ移る。一方、戻るキーが操作された場合には、前記画像情報は入力情報としては登録しないと判断されて、ステップＳ２１３の処理へ戻る。
【００７９】
ステップＳ２１５では、撮像により取得した画像情報を、管理情報としてデータベース１３１に登録する。そして、図１５のステップＳ２３０の処理へ移る。
【００８０】
以上により、本変形例において、カメラ２００は、前記無線タグラベルＴが貼り付けられた対象物品を撮像可能な撮像手段を構成する。本変形例は、無線タグ通信装置１００でタグＩＤを読み取ったときに、その物品の状態をカメラで撮像して画像情報として、その場でデータベースに登録することができるため、資産管理などを行うときに非常に利便性が高い。
【００８１】
（６）データベースがサーバにある場合
以上の実施例においては、無線タグ通信装置１００の中のＲＡＭ１３０にデータベース１３１がある場合を説明したが、これに限られない。無線タグ通信装置１００の外部接続回路１４０を介して、データベース１３１を有するサーバに無線ＬＡＮなどで接続されていてもよい。この場合、上述した実施例及び変形例において、図８、図１４、図１５におけるステップＳ２５０及び図１６のステップＳ２１５において、制御回路１１５は、外部接続回路１４０を介してサーバに、データベースに登録するための管理情報を出力する。サーバでデータベースを管理する場合には、無線タグ通信装置を複数台用いて棚卸作業を行う場合であっても、データベースの更新登録を効率よく随時行うことができる。本変形例において、制御回路１１５が行うステップＳ２５０及びステップＳ２１５は、前記入力手段により入力された前記管理情報を前記データベース１３１に登録するための登録情報を出力する管理情報出力手段を構成する。なお、その他にデータベースは、無線タグ通信装置に挿入、装着して使用されるメモリに記憶されていてもよい。
【００８２】
加えて、未登録管理項目を表示部に表示させるか否か、判断結果を表示する機能のｏｎ/ｏｆｆの設定を、操作入力部１２０の操作入力信号によって一律に行うようにしてもよい。また、無線タグ通信装置１００で判断結果を表示部１１０に表示する際に、同時に発音装置１６０によって警報音を鳴らしたり、振動装置１７０によって振動による報知を併せて行ってもよい。また、既に述べた以外にも、上記実施形態や各変形例による手法を適宜組み合わせて利用しても良く、例示はしないが、本発明は、その趣旨を逸脱しない範囲内において、種々の変更が加えられて実施されるものである。
【図面の簡単な説明】
【００８３】
【図１】本実施形態の無線タグ通信装置の全体的な外観を表す外観図である
【図２】無線タグ通信装置の機能構成を表す機能ブロック図である。
【図３】データベースの記憶内容の一例を表す図である。
【図４】高周波回路の詳細構成を表す機能ブロック図である。
【図５】無線タグ回路素子を備える無線タグラベルの外観図である。
【図６】記無線タグに備えられた無線タグ回路素子の機能的構成の一例を表す機能ブロック図である。
【図７】無線タグ通信装置の制御回路によって実行される制御手順を表すフローチャートである。
【図８】無線タグ通信装置の制御回路によって実行される制御手順を表すフローチャートである。
【図９】ディスプレイ上に表示される表示画面の一例を示す図である。
【図１０】ディスプレイ上に表示される表示画面の別例を示す図である。
【図１１】無線タグ通信装置の制御回路によって実行される別例の制御手順を表すフローチャートである。
【図１２】データベースの記憶内容の別例を表す図である。
【図１３】ディスプレイ上に表示される表示画面の他の例を示す図である。
【図１４】無線タグ通信装置の制御回路によって実行される変形例の制御手順を表すフローチャートである。
【図１５】無線タグ通信装置の制御回路によって実行される変形例の制御手順を表すフローチャートである。
【図１６】無線タグ通信装置の制御回路によって実行される変形例の制御手順を表すフローチャートである。
【符号の説明】
【００８４】
１００    無線タグ通信装置
１１０    通信アンテナ（装置アンテナ手段）
１１１    ディスプレイ（表示部、未登録情報表示手段）
１２０    操作入力部（入力手段）
１２２    操作入力キー（入力手段）
１３１    データベース
２００    カメラ（撮像手段）
１５０    ＩＣ回路部
１５１    タグアンテナ
Ｔ        無線タグラベル
Ｔo       無線タグ回路素子
【図１】
2010152455.tif 000003
【図２】
2010152455.tif 000004
【図３】
2010152455.tif 000005
【図４】
2010152455.tif 000006
【図５】
2010152455.tif 000007
【図６】
2010152455.tif 000008
【図７】
2010152455.tif 000009
【図８】
2010152455.tif 000010
【図９】
2010152455.tif 000011
【図１０】
2010152455.tif 000012
【図１１】
2010152455.tif 000013
【図１２】
2010152455.tif 000014
【図１３】
2010152455.tif 000015
【図１４】
2010152455.tif 000016
【図１５】
2010152455.tif 000017
【図１６】
2010152455.tif 000018